(57)【要約】【課題】インジケータの揺動作による摩耗粉の発生を無くして、電気接点開閉機構の所定の特性を常時発揮することができるようになした。【解決手段】ケース２内において、電磁ソレノイド機構４における鉄心４３により可動鉄片４１を揺動可能に支持させると共に、可動鉄片４１揺動により電気接点開閉機構３の開閉動作を行うように構成する場合、可動鉄片４１にインジケータ片８を直接取り付け、インジケータ片８を可動鉄片４１の揺動作に応じてケース２に形成した表示窓９に対向させることによって、インジケータ片８を表示窓９より視認可能に構成して、電気接点開閉機構３の動作表示を外部より視認できるようにした。【選択図】図４
2007250237.tif 000002
【特許請求の範囲】
【請求項１】
ケース内において、電磁ソレノイド機構における鉄心の動作を受けて可動鉄片を揺動可能に支持させると共に、該可動鉄片の揺動により電気接点開閉機構の開閉動作を行うように構成した電磁継電器であって、前記可動鉄片にインジケータ片を直接取り付け、該インジケータ片を前記可動鉄片の揺動作に応じて前記ケースに形成した表示窓に対向させることによって、前記インジケータ片を前記表示窓より視認可能に構成して、前記電気接点開閉機構の動作表示を外部より視認できるようにしたことを特徴とする動作表示機能付き電磁継電器。
【請求項２】
前記ケースにおける前記表示窓を囲繞する所定範囲を、黒色塗装或いはシボ付け加工等からなる不透明領域部に形成したことを特徴とする請求項１記載の動作表示機能付き電磁継電器。
【請求項３】
前記不透明領域部は、前記ケースにおける内表面に形成したことを特徴とする請求項２記載の動作表示機能付き電磁継電器。
【請求項４】
前記インジケータ片を、視認性の優れた素材を用いて形成したことを特徴とする請求項１乃至３のいずれか一に記載の動作表示機能付き電磁継電器。
【請求項５】
前記インジケータ片に用いる視認性の優れた素材として、橙色、赤色、黄色或いは蛍光色の素材を使用したことを特徴とする請求項５に記載の動作表示機能付き電磁継電器。
【発明の詳細な説明】
【技術分野】
【０００１】
本発明は、電磁ソレノイド機構の励磁或いは消磁により可動鉄片を駆動し、インジケータ片を動作させるように構成した動作表示器機能付き電磁継電器に関するものである。
【背景技術】
【０００２】
従来、この種の電磁継電器として、図８乃至図１１に示すものが知られている(特許文献１、特許文献２参照)。
【特許文献１】実用新案登録第２５５７７１１号公報。
【特許文献２】特開２００４−３２７２４０号公報。
【０００３】
図８乃至図１１によれば、電磁継電器は、ベース１とケース２とを組み合わせることによって構成された収容部内に、電気接点開閉機構３とこの電気開閉動を司る電磁ソレノイド機構４を配置して構成している。
【０００４】
電気接点開閉機構３は、ベース１に互いに対向するように設置し、それぞれ固定接点３１ａ、３２ａを有する常閉固定接触片３１及び常開固定接触片３２と、後述の可動鉄片４１に揺動可能に取り付けられ、一端側に可動接点３３ａを有する可動接触片３３とで構成され、可動接触片３３の可動接点３３ａが固定接点３１ａ、３２ａ間を選択的に接離することによって、電気開閉動を司っている。
【０００５】
電磁ソレノイド機構４は、コイルを主体として構成する電磁ブロック４２、電磁ブロック４２の励磁及び消磁により可動鉄片４１を揺動させる鉄心４３および鉄心４３の吸引により揺動するようにソレノイド取付け片４３に取り付けられた可動鉄片４１とを有して構成している。
【０００６】
可動鉄片４１は、一端がベース１に電磁ブロック４２を覆うように取り付けられたＬ字状の取付け片５に止着された復帰ばね６の他端側を止着されて、常時は可動接触片３３の可動接点３３ａを常閉固定接触片３１側の固定接点３１ａ側に投入接続している。
【０００７】
可動接触片３３の他端側は、一端がベース１より外部に突出している接続端子１０に接続しているコモンリード線７の一端が接続している。
【０００８】
そして、可動鉄片４１による可動接触片３３の動作は、インジケータ片８によって確認することができるように構成されている。即ち、インジケータ片８は、略枠体形状を呈しており、上端連設部中央に表示片８ａが形成されており、表示片８ａの先端は略直角に折り曲げられて、視認部８ｂを構成している。インジケータ片８の両側部脚片８ｃの下端には、両側部脚片８ｃの対向方向に突出する支軸８ｄが設けられており、支軸８ｄは、インジケータ片８が可動鉄片４１の揺動に従ってやはりベース１に対して揺動する可能に構成すべく、図示しないがベース１に取り付けられている。インジケータ片８は、支軸８ｄを支点として、揺動可能に構成されている。また、ケース２の上面部２ａには、表示窓９が開口形成されている。
【０００９】
従って、図９及び図１１に示すように、電磁ソレノイド機構４の消磁状態においては、復帰ばね６の付勢力により、可動鉄片４１は、鉄心４３に対して離間し、可動接触片３３の可動接点３３ａを常閉固定接触片３１の固定接点３１ａ側に投入接続させた状態となっている(図９及び図１１参照)。
【００１０】
この時、インジケータ片８は、表示片８ａの視認部８ｂが表示窓９よりケース２内部側に引っ込んでいることから、外部より視認することができず、電気接点開閉機構３の非作動状態を表示している。
【００１１】
このような消磁状態から電磁ソレノイド機構４に電気を導入して励磁状態にすると、電気ソレノイド機構４の励磁により鉄心４３が可動鉄片４１を吸引し、可動鉄片４１を復帰ばね６の付勢力に抗して揺動させて、可動接触片３３をやはり」揺動させることによって、可動接点３３ａを常閉固定接触片３１の固定接点３１ａから常開固定接触片３２の固定接点３２ａ側に投入接続されることになる。
【００１２】
この結果、インジケータ片８は支軸８ｄを支点としてやはり揺動することになって、インジケータ片８の視認部８ｂが、表示窓９に対向する位置に移動して、ケース２の外部から、電気接点開閉機構３の作動状態を視認できることになる(図１０及び図１２参照)。
【発明の開示】
【発明が解決しようとする課題】
【００１３】
このように構成する従来の電磁継電器によれば、電気接点開閉機構３の非作動状態及び作動状態を表示するインジケータ片８は、支軸８ｄを支点として揺動するという構成を採用しているために、揺動作毎に支軸８ｄとケース２との間で摺動して擦れ合うことになり、このような擦れ合いにより、互いに摩耗粉が発生することが考えられ、発生した摩耗粉が電気接点開閉機構３の作動特性に影響を及ぼすことがある。
【００１４】
そこで、本発明はかかる従来の課題を改善するために案出されたもので、インジケータの揺動作による摩耗粉の発生を無くして、電気接点開閉機構の所定の特性を常時発揮することができるようになした動作表示機能付き電磁継電器を提供することを目的としている。
【課題を解決するための手段】
【００１５】
上記目的を達成するために、本発明に係る動作表示機能付き電磁継電器は、ケース内において、電磁ソレノイド機構における鉄心の動作を受けて可動鉄片を揺動可能に支持させると共に、該可動鉄片の揺動により電気接点開閉機構の開閉動作を行うように構成した電磁継電器であって、前記可動鉄片にインジケータ片を直接取り付け、該インジケータ片を前記可動鉄片の揺動作に応じて前記ケースに形成した表示窓に対向させることによって、前記インジケータ片を前記表示窓より視認可能に構成して、前記電気接点開閉機構の動作表示を外部より視認できるようにしたことを特徴とする。
【００１６】
かかる構成により、インジケータ片を可動鉄片に直接取り付けることにより、インジケータ片の表示窓からに表示・非表示を行うように構成したことから、従来のような支軸によるインジケータ片の揺動支点を有しておらず、この結果、インジケータ片と支軸との摺動摩擦による摩擦この発生を無くすことができ、電気接点開閉機構の動作特性に影響を及ぼすことがない。
【００１７】
また、上記の目的を達成するために、本発明は、前記ケースにおける前記表示窓を囲繞する所定範囲を、黒色塗装或いはシボ付け加工等からなる不透明領域部に形成したことを特徴とする。
【００１８】
一般に、一般に電磁継電器のケースは電気接点開閉機構の開閉動作等がケースの外部から視認可能にするために、透明素材で形成することが多く、インジケータ片が表示窓以外の部位からも視認できてしまい、電気接点開閉機構が開閉動作しているのかいないのかの区別ができない場合が出てきてしまうことから、本発明では、ケースにおける表示窓を囲繞する所定範囲を、黒色塗装或いはシボ付け加工等からなる不透明領域部に形成することにより、表示窓に対向してインジケータ片が顕出しているか否かが明確に区別することができ、しかも、不透明領域部を比較的小範囲に形成したとしても、インジケータ片を確実に検出させることができ、ケース２における透明部分を大きくすることができる。
【００１９】
また、上記の目的を達成するために、本発明は、前記不透明領域部を前記ケースにおける内表面に形成したことを特徴とするものである。
【００２０】
かかる構成により、不透明領域部がケースにおける表面に検出しないことから、永年使用により不透明領域部を構成する塗装部やシボ加工部等が剥離したり消失したりすることがないと共に、特にシボ加工の場合には、ケースの内表面に存在しているために、作業者の手等が引っ掛かることが無く、安全性に富んでいるといえる。
【００２１】
また、上記の目的を達成するために、本発明は、前記インジケータ片を、視認性の優れた素材を用いて形成しており、また、前記視認性の優れた素材として、橙色、赤色、黄色或いは蛍光色の素材を使用したことを特徴とするものである。
【００２２】
かかる構成により、インジケータ片がケースに対して明確に区別して視認されることになり、電気接点開閉機構の開閉動作を確実に視認できることから、インジケータ片の視認性を向上させることができる。
【発明の効果】
【００２３】
本発明に係る動作表示機能付き電磁継電器によれば、インジケータ片を可動鉄片に直接取り付けることにより、インジケータ片の表示窓からに表示・非表示を行うように構成したことから、従来のような支軸によるインジケータ片の揺動支点を有しておらず、この結果、インジケータ片と支軸との摺動摩擦による摩擦この発生を無くすことができ、電気接点開閉機構の動作特性に影響を及ぼすことがない。
【発明を実施するための最良の形態】
【００２４】
本発明の実施の形態を、図１乃至図７を参照して詳述する。
【００２５】
図１は、本発明の実施の形態を採用した動作表示機能付き電磁継電器の外観を描画した斜視図、図２は図１におけるカバー体を透過して描画した斜視図、図３は同じく分解斜視図、図４は図１に示す電磁継電器の電磁ソレノイド機構の消磁状態におけるＡ−Ａ断面図、図５は図１に示す電磁継電器の電磁ソレノイド機構の励磁状態におけるＡ−Ａ断面図、図６は図１に示す電磁継電器の電磁ソレノイド機構の消磁状態における上面図、図７は図１に示す電磁継電器の電磁ソレノイド機構の励磁状態における上面図である。尚、以下の説明において、従来の技術に対応する部分については同符号を付して説明する。
【００２６】
この電磁継電器は、大略、ベース１に、電磁ソレノイド機構４、電気接点開閉機構３を設けて、ケース２を被せ、さらにケース２の上側にインジケータ片８を配置した構成になっている。
【００２７】
ベース１は、複数の接続端子１０を外部に突出させて設置する端子台１ａと端子台１ａの上に嵌合状態で配置されるベース基台１ｂとで構成している。
【００２８】
ベース基台１ｂの周部には、周部絶縁壁１ｃおよび周部絶縁壁１ｄに囲まれた内部に互いに間隙をおいて一対の内部絶縁壁１ｅが立設されている。
【００２９】
両内部絶縁壁１ｅは、ベース基台１ｂ上に３つの固定接点設置室１ｆを形成して、固定接点設置室１ｆには、それぞれ複数の常閉固定接触片３１及び常開固定接触片３２を配置している。
【００３０】
常閉固定接触片３１は、Ｌ字状に折曲形成されており、その上端側下面には固定接点３１ａが取付けられており、また、常開固定接触片３２も、Ｌ字状に折曲形成されており、その上端側上面には固定接点３２ａが取付けられて、常閉固定接触片３１及び常開固定接触片３２は、固定接点３１ａ及び３２ａ同士が対向するように、ベース基台１ｂに離間配置されている。
【００３１】
固定接点３１ａと固定接点３２ａとの間には、互いに略Ｌ字形に折曲構成された可動接触片３３の水平脚片３３ｂに取り付けられた可動接点３３ａが介在しており、可動接点３３ａは常時は常閉固定接触片３１側の固定接点３１ａに投入された状態になっている。
【００３２】
このために、可動接触片３３の垂直脚片３３ｃは、可動接点３３ａが取り付けられた水平脚片３３ｃがケース２に対して略水平に配置されるように、ベース基台１ｂに植設されている(図４及び図５参照)。
【００３３】
ベース基台１ｂの上部には、略逆Ｌ字形の電磁ソレノイド取付け片３４が配置されている。電磁ソレノイド取付け片３４は、それぞれ略矩形状を呈する水平片部３４ａと垂直片部３４ｂとを一体形成してなる。
【００３４】
水平片部３４ａの一辺側隅角部には、それぞれ略水平方向の係合突起３４ａ-１が突設されており、他辺隅角部にはそれぞれ下向きの引っ掛け片３４а-２が形成されている。
【００３５】
そして、各係合突起３４ａ―１をベース基台１ｂの一辺隅角部に形成した係合孔１ｂ-１に係合すると共に、ベース基台１ｂの対向側一辺隅角部に引っ掛け片３４ａ-２を引っ掛け等することにより、電磁ソレノイド取付け片３４はベース基台１ｂに取付けられている。
【００３６】
電磁ソレノイド取付け片３４の水平片部３４ａには、コイルを主体として構成して電磁力を発生する電磁ブロック４２が装着されており、電磁ブロック４２には、電磁ブロック４２の励磁及び消磁により可動鉄片４１を揺動させる鉄心４３が、設けられている。
【００３７】
鉄心４３の一端側は、電磁ソレノイド取付け片３４の垂直片部３４ｂに形成した抜き孔３４ｂ-１に摺動可能に嵌合されるようになっており、また、鉄心４３の他端側には、可動鉄片４１が対向配置されている。
【００３８】
可動鉄片４１は、略Ｌ字状に一体形成された垂直状の鉄心対向片部４１ａと水平状の可動接触片揺動片部４１ｂとで構成されおり、鉄心対向片部４１ａが鉄心４３と対向しており、鉄心対向片部４１ａの下端両隅角部に設けた一対の係合段差部４１ａ-１が水平片部３４ａの係合突起３４ａ−１に係合することにより、ベース基台１ｂに対して、揺動可能に設けられている。
【００３９】
そして、可動鉄片４１は、一端が電磁ソレノイド取付け片３４に取着された板ばね４１ｃの他端側で付勢されて、常時鉄心対向片部４１ａ側に揺動するように付勢されている。
【００４０】
さらに、可動鉄片４１の鉄心対向片部４１ａの遊端側には、例えば赤色、橙色、黄色或いは蛍光色などの視認性の優れた樹脂材料等からなる素材により形成されたインジケータ片８が直接装着されている。
【００４１】
即ち、インジケータ片８は、上面を視認部８ａを構成すべく略水平は位置された表示片８ｂと表示片８ｂに対して下向きに延在する一対の取付け脚片８ｃとを有して構成され、取付け脚片８ｃを、可動鉄片４１における鉄心対向片部４１ａの上端に突設した取付け突起４１ａ-２に係着することによって、可動鉄片４１に装着されている。
【００４２】
可動鉄片４１の水平取付け片部４１ｂは、カード片４４に嵌合装着しており、カード片４４は、その下面に操作突起４４ａが形成され、操作突起４４ａは、板ばね４１ｂの付勢力により、常時可動接触片３３に弾接している。
【００４３】
ケース２は、ベース１に配置された電磁ソレノイド機構４および電気接点開閉機構３等を覆った後、互いに対向する側壁に形成した一対の下端係合部２ｂを端子台１ａに形成した一対の係合突起１ａ―１に係合することによって、ベース１に組み付けられている。
【００４４】
以上のように構成する場合、図４及び図６に示すように、電磁ソレノイド機構４の電磁ブロック４２に電気が投入されていない消磁においては、可動鉄片４１は板ばね４１ｂの付勢力によって、ケース２の外側方向(図４では、左方向)に付勢されて揺動しており、カード片４４を介して可動接触片３３の可動接点３３ａを常閉固定接触片３１の固定接点３１ａ側に接続させている。
【００４５】
この電磁ソレノイド機構４の消磁状態から、電磁ブロック４２に電気を投入して励磁させると、鉄心４３が吸引して、可動鉄片４１をケース２の内側方向(図４においては右方向)に揺動させて、可動操作体４４が可動接触片３３上を図４の右方向に摺動し、この結果、可動接触片３３が図４において左回転方向に揺動して、可動接点３３ａを固定接点３１ａ側から常閉固定接触片３２側の固定接点３２ａに接続させることになる(図５および図７に示す状態)。
【００４６】
この時、可動鉄片４１の揺動によって、インジケータ片８が電磁ブロック４２側に揺動することになり、表示片８ｂの視認部８ａがケース２の上面部２ａに透明に形成した表示窓９に対向することになって、表示窓９から、視認部８ａの赤色が視認できるように顕出して、電磁継電器の作動状態をケース２の外部から観察することができることになる。
【００４７】
そして、表示窓９は、ケース２の上面部２ａにおける表面好ましくは内表面の所定範囲に黒色塗装或いはシボ加工等を施した略中央部の透明部分において構成されているものであり、したがって、表示窓９を囲繞するように、ケース２の上面部２aに施した黒色塗装或いはシボ加工等よって不透明領域部２ｃが形成されていることになる。
【００４８】
これは、一般に電磁継電器のケース２は電気接点開閉機構３の開閉動作等がケース２の外部から視認可能にするために、透明素材で形成することが多く、インジケータ片８が表示窓９以外の部位からも視認できてしまい、電気接点開閉機構３が開閉動作しているのかいないのかの区別ができない場合が出てきてしまうことから、本実施の形態では、ケース２における表示窓９を囲繞する所定範囲を、黒色塗装或いはシボ付け加工等からなる不透明領域部２ｃに形成することにより、表示窓９に対向してインジケータ片８が顕出しているか否かが明確に区別することができ、しかも、不透明領域部２ｃを比較的小範囲に形成したとしても、インジケータ片８を確実に検出させることができ、ケース２における透明部分を大きくすることができる。
【００４９】
以上のように構成した場合、インジケータ片８を可動鉄片４１に取り付けることにより、インジケータ片８における表示窓９からの表示・非表示を行うように構成したことから、従来のような支軸８ｄによるインジケータ片８の揺動支点を有しておらず、この結果、インジケータ片８と支軸８ｄとの摺動摩擦による摩擦この発生を無くすことができ、電気接点開閉機構３の動作特性に影響を及ぼすことがない。
【産業上の利用可能性】
【００５０】
本発明は、インジケータ片を可動鉄片に取り付けることにより、インジケータ片の表示窓からに表示・非表示を行うように構成したことから、従来のような支軸によるインジケータ片の揺動支点を有しておらず、この結果、インジケータ片と支軸との摺動摩擦による摩擦粉の発生を無くすことができ、電気接点開閉機構の動作特性に影響を及ぼすことがないことから、電磁ソレノイド機構の励磁・消磁により可動鉄片を駆動し、インジケータ片を動作させるように構成した動作表示器機能付き電磁継電器等に好適であるといえる。
【図面の簡単な説明】
【００５１】
【図１】本発明の実施の形態を採用した動作表示機能付き電磁継電器の外観を描画した斜視図である。
【図２】図１におけるカバー体を透過して描画した斜視図である。
【図３】同じく分解斜視図である。
【図４】図１に示す電磁継電器の電磁ソレノイド機構の消磁状態におけるＡ−Ａ断面図である。
【図５】図１に示す電磁継電器の電磁ソレノイド機構の励磁状態におけるＡ−Ａ断面図である。
【図６】図１に示す電磁継電器の電磁ソレノイド機構の消磁状態において不透明領域部を省略して描画した上面図である。
【図７】図１に示す電磁継電器の電磁ソレノイド機構の励磁状態において不透明領域部を省略して描画した上面図である。
【図８】従来の電磁継電器におけるケースを一部透視して描画した斜視図である。
【図９】図８に示す電磁継電器の電磁ソレノイド機構の消磁状態におけるＢ−Ｂ断面図である。
【図１０】図８に示す電磁継電器の電磁ソレノイド機構の励磁状態おけるＢ−Ｂ断面図である。
【図１１】図８に示す電磁継電器の電磁ソレノイド機構の消磁状態における上面図である。
【図１２】図８に示す電磁継電器の電磁ソレノイド機構の励磁状態における上面図である。
【符号の説明】
【００５２】
２                ケース
２ｃ              不透明領域部
３                電気接点開閉機構
４                電磁ソレノイド機構
４１              可動鉄片
４３              鉄心
８                インジケータ片
９                表示窓
【図１】
2007250237.tif 000003
【図２】
2007250237.tif 000004
【図３】
2007250237.tif 000005
【図４】
2007250237.tif 000006
【図５】
2007250237.tif 000007
【図６】
2007250237.tif 000008
【図７】
2007250237.tif 000009
【図８】
2007250237.tif 000010
【図９】
2007250237.tif 000011
【図１０】
2007250237.tif 000012
【図１１】
2007250237.tif 000013
【図１２】
2007250237.tif 000014